(57)【特許請求の範囲】
【請求項１】
分子インプリント導電性ポリマ（ＭＩＣＰ）または金属酸化物修飾分子インプリント導電性ポリマ（ＭＯＭＩＣＰ）から選択されるポリマが被覆された基板を備えるアミノ酸センサーの作成プロセスであって、
（ａ）Ｌ−チロシン、Ｌ−システインおよびそれらの組み合わせからなる群から選択されるアミノ酸のテンプレートの存在下で、前記テンプレートが、前記基板上の過塩素酸テトラブチルアンモニウム及びトリフルオロ酢酸を含むアセトニトリルにインプリントされるように、ピロールモノマーを電解重合して、分子インプリント導電性ポリマフィルム付き電極を得るステップと、
（ｂ）電気化学的に過酸化して、続いてｐＨ２のリン酸緩衝液で循環することで洗浄し、その後ｐＨ５．５のリン酸緩衝液で安定化することによって、前記ステップ（ａ）で得られた電極から前記テンプレートを取り除き、前記テンプレートが取り除かれたＭＩＣＰまたは２重テンプレートが取り除かれたＭＩＣＰフィルムが被覆された電極を得るステップと、
（ｃ）前記ステップ（ｂ）で得られた前記テンプレートが取り除かれて安定化されたＭＩＣＰまたは前記２重テンプレートが取り除かれたＭＩＣＰ電極上に、Ｃｕ２+、Ｈｇ２+、
Ｐｄ２+、Ａｕ３+、Ｐｔ４+からなる群から選択される金属を析出させ、続いて陽極スキャンすることにより、それぞれの金属酸化物修飾分子インプリント導電性ポリマフィルムが被覆され、アミノ酸センサーとして用いられる電極を得るステップと、
を有するアミノ酸センサーの作成プロセス。
【請求項２】
請求項１に記載のアミノ酸センサーの作成プロセスにおいて、ピロールと前記テンプレートとの比率を４００：１から２：１の範囲内、ピロールの濃度を２×１０−３以上４×１０−３Ｍ以下、および前記テンプレートの濃度を１０−５以上１０−３Ｍ以下とするアミノ酸センサーの作成プロセス。
【請求項３】
請求項１に記載のアミノ酸センサーの作成プロセスにおいて、前記ステップ（ａ）では、前記アセトニトリルの量を２０ｍｌ、前記トリフルオロ酢酸の量を０．５以上３５μｌ以下、前記過塩素酸テトラブチルアンモニウムの濃度を０．０１以上０．１Ｍ以下とするアミノ酸センサーの作成プロセス。
【請求項４】
請求項１に記載のアミノ酸センサーの作成プロセスにおいて、前記ステップ（ａ）では、析出電位をＡｇ／ＡｇＣlに対して０．８以上０．９Ｖ以下として５５以上６５秒以下で電解重合するアミノ酸センサーの作成プロセス。
【請求項５】
請求項１に記載のアミノ酸センサーの作成プロセスにおいて、前記ステップ（ａ）では、前記基板がガラス状炭素電極（ＧＣＥ）の表面であるアミノ酸センサーの作成プロセス。
【請求項６】
請求項１に記載のアミノ酸センサーの作成プロセスにおいて、前記ステップ（ｂ）では、ＮａＯＨ０．０８から０．１Ｍの存在下で、電位をＡｇ／ＡｇＣlに対して０．８以上１．２Ｖ以下、走査速度を４０から７０ｍＶ／ｓとして、少なくとも１００回、電気化学的に過酸化するアミノ酸センサーの作成プロセス。
【請求項７】
請求項１に記載のアミノ酸センサーの作成プロセスにおいて、前記ステップ（ｂ）では、電位をＡｇ／ＡｇＣlに対して０以上０．９Ｖ以下、走査速度を７５以上１２５ｍＶ／ｓ以下として、少なくとも７５回、リン酸緩衝溶液中で循環することにより洗浄するアミノ酸センサーの作成プロセス。
【請求項８】
請求項１に記載のアミノ酸センサーの作成プロセスにおいて、前記ステップ（ｂ）では、電位を０以上０．９Ｖ以下、走査速度を５０以上７０ｍＶ／ｓ以下として、少なくとも２０回、安定化するアミノ酸センサーの作成プロセス。
【請求項９】
請求項１に記載のアミノ酸センサーの作成プロセスにおいて、前記ステップ（ｃ）では、前記ステップ（ｂ）で得られた電極をポテンショスタットにより−０．２８以上−０．３２Ｖ以下で４．５以上５秒以下保持することにより、前記電極上に金属を析出させるアミノ酸センサーの作成プロセス。
【請求項１０】
請求項１に記載のアミノ酸センサーの作成プロセスにおいて、前記ステップ（ｃ）では、電位を０以上０．９Ｖ以下として陽極スキャンするアミノ酸センサーの作成プロセス。
【請求項１１】
請求項１に記載のアミノ酸センサーの作成プロセスにおいて、前記ステップ（ｂ）又はステップ（ｃ）の前記被覆された電極は、開始電位を−０．１５以上０．０７５Ｖ以下に戻し、ｐＨ５．５のリン酸緩衝液中で撹拌することにより、２５から３５回再生および再利用できるアミノ酸センサーの作成プロセス。
【請求項１２】
請求項１に記載のアミノ酸センサーの作成プロセスにおいて、前記ステップ（ｂ）又はステップ（ｃ）の前記被覆された電極は、金属酸化物修飾ＭＩＣＰの場合、使用後、電位−０．１５以上０．０７５Ｖ以下で７以上１０秒以下保持して金属酸化物を除去し、続いてｐＨ５．５のリン酸緩衝液中で全ての修飾電極を１以上５分以下撹拌して酸化チロシンを除去することにより、再生可能となるアミノ酸センサーの作成プロセス。
【請求項１３】
請求項１に記載のアミノ酸センサーの作成プロセスにおいて、さらに、アミノ酸センサーを校正するステップを有しており、前記ステップ（ｂ）又はステップ（ｃ）における作用電極としての前記被覆された電極、白金箔対電極およびＡｇ／ＡｇＣl参照電極を、０．０７５から０．１５Ｍのリン酸緩衝液中に既知量のアミノ酸を含む電気化学セルに浸し、続いて５０以上３００ｍＶ以下の振幅変調で電位０以上０．９Ｖ以下をスキャンして示差パルスボルタモグラムを記録することにより、作用電極および対電極間の電流をアミノ酸の濃度に対してプロットして校正グラフを作成するアミノ酸センサーの作成プロセス。
【請求項１４】
請求項１に記載のアミノ酸センサーの作成プロセスで作成されるアミノ酸センサーを用いるアミノ酸の選択的検出方法であって、
ｉ）前記ステップ（ｂ）又はステップ（ｃ）で得られたアミノ酸センサーとしての前記被覆された電極を、ｐＨ５．５からｐＨ７．０で分析されるサンプルを含む電気化学セルに挿入し、続いて５０以上３００ｍＶ以下の振幅変調で電位０以上０．９Ｖ以下をスキャンして示差パルスボルタモグラムを記録するステップと、
ii）下記の校正グラフを参照することにより、アミノ酸の未知濃度を定量するステップと、
を有するアミノ酸の選択的検出方法。
ただし、前記校正グラフは、前記ステップ（ｂ）又はステップ（ｃ）における作用電極としての前記被覆された電極、白金箔対電極およびＡｇ／ＡｇＣl参照電極を、０．０７５から０．１５Ｍのリン酸緩衝液中に既知量のアミノ酸を含む電気化学セルに浸し、続いて５０以上３００ｍＶ以下の振幅変調で電位０以上０．９Ｖ以下をスキャンして示差パルスボルタモグラムを記録することにより、作用電極および対電極間の電流をアミノ酸の濃度に対してプロットして作成した校正グラフである。
【発明の詳細な説明】
【技術分野】
【０００１】
本発明は、「分子インプリント導電性ポリマフィルム付き水性アミノ酸センサー」の作成プロセスに関する。
さらに、本発明は、分子インプリント導電性ポリマ（より詳しくはポリピロール）および金属酸化物修飾分子インプリント導電性ポリマフィルムをガラス状炭素電極（ＧＣＥ：glassy carbon electrode）に被覆することを含むプロセスに関する。
特に、本発明は、特定のアミノ酸（より詳しくはＬ−チロシン及び／又はＬ−システイン）を他のアミノ酸の存在下で選択的に検出する分子インプリントポリピロールおよび金属酸化物修飾分子インプリントポリピロールフィルムをＧＣＥに修飾することを含むプロセスに関する。
【背景技術】
【０００２】
Ｚｈａｕらは、未処理ホウ素がドープされたダイヤモンド電極でチロシンとトリプトファンを同時に測定した（Electroanal.18(2006)830）。
様々な化学修飾電極について、つまり、多層カーボンナノチューブ（ＭＷＣＮＴ：multiwalled carbon nanotube）修飾ＧＣＥ（Microchim. Acta 151(2005)47）、Ｌ−セリンポリマフィルム修飾ＧＣＥ（Colloids & Surfaces B. Biointerfaces 50(2006)147）、ＭＷＣＮＴ−４−アミノベンゼンスルホン酸修飾ＧＣＥ（Colloids & surfaces B. Biointerfaces 61(2008)176）について言及されている。これらはチロシンの検出を目的とすることが記載されている。
Ｔａｎｇらは、Ｌ−チロシン、Ｌ−トリプトファンおよびＬ−システインの同時ボルタメトリー検出を目的とする電界紡糸カーボンナノファイバー修飾カーボンペースト電極の構成について報告している（Talanta 80(2010)2182）。
トリプトファンの検出を目的とする過酸化ポリピロール修飾カーボンペースト電極について言及されている（Anal. Sci.18 (2002) 417）。
【０００３】
Ｌｉｕらは、２００８年に、第２銅イオンの存在下でＭＷＣＮＴイオン性液体合成物をＧＣＥに被覆することによりＬ−チロシンのボルタメトリー応答を改善する、と報告した（Electroanal.20(2008)2148）。
また、水銀滴下電極を吊り下げて用いてチロシン（Fresnius J.Anal.Chem 351(1995)689）およびエンロフロキサシンを吸着ボルタメトリック定量することについて、さらに２
つの報告がされており、ボルタメトリック検出の間、銅（II）を用いることが記載されている。
【０００４】
さらに、ポリヌクレオチド、ポリペプチドおよびペプチドを目的とする多機能かつ複数波長のバイオセンサー装置（Vo-Dinh US Pat. No. 6743581; 2004）、セレクター分子が
吸着もしくは固定化したポリシロキサンが被覆されたバイオセンサー（Levon et. al Inter. Pat. No. WO 059507; 2005）、ピナコリル−メチル−ホスホネートを検出するモチーフを２重検出（表面プラスモン共鳴と蛍光検出）することを特徴とする化学センサー（Booksh et al, US Pat.No. 0031292; 2007）について言及されている。
有極性かつ有毒な種の検出を目的とする導電性ポリマが被覆された検出電極についての方法（Venkatasetty, US Pat.No.4,66,2,996;1987）、タンパク質が吸着した賦形性導電
性ポリマフィルム（Wolfgang et al, Euro.Pat.No.0658906;1994）、導電性ポリマであるポリアニリンのナノ粒子を含む基板から構成されるセンサー（Morrin et al, Int.Pub.No. WO2007/119229; 2007）、検体センサーを用いて検体濃度を定量する方法（Albarella et al, Euro.Pub. No. 0314009; 1988）について言及されている。検体センサーは、酵素
、抗原もしくはイオンが特異的結合部位に共有結合的に官能基化された導電性有機ポリマ
を用いており、液状媒質を選択的に分析する診断装置に採用される。
アミノ酸を検出する上述の基質の欠点は、選択性が欠如すること、安定性が乏しいこと、導電性ポリマまたはＭＷＣＮＴやＬ−セリンなどの他の基質に選択的認識部分を組み込む必要があることである。
また、電気的に合成された分子インプリントポリマが修飾された電極についていくつか言及されている。すなわち、ドーパミンの検出を目的とするｏ−フェニレンジアミンとレゾルシノールとの共重合（J.Solid state chem. 14(2010)1909）、アスコルビン酸の検出を目的とするポリピロール（Sensors 8(2008)5792）、サルファメトキサゾールの検出を
目的とする過酸化ポリピロール（Sensors 8(2008)8463）、そして、アトラジンの検出を
目的とする白金電極に用いられる分子インプリントポリ−３，４−エチレンジオキソチオフェン、共通するチオフェン酢酸（Anal.Chim Acta 649(2009)236）について言及されて
いる。
【０００５】
さらに、オキシトシン、バソプレシン、アンジオテンシンII、ブラジキニンおよび１５−ｍｅｒペプチドのようなペプチドテンプレートを目的とする、システインおよびホモシステインの重合可能なキラル誘導体を用いるインプリントポリマ付き水晶振動子マイクロバランスセンサー（Tai et al US Pat No. 0226503; 2008）、ポリクロロ芳香族汚染物質を目的とするＭＩＰ／ＱＣＭ２重センサー（Penelle, US Pat No. 0166581;2004）、ドーパミンおよびオクラトキシンＡの検出を目的とする解析キット（Perollier et al US Pat
No.0105076; 2010）、フェノール、モルヒネおよびフェノキシ酸系除草剤の検出を目的
とする、合成ポリマが修飾された親和性電極（Kroger & Mosbach GB  Pat. No. 2337332;
1999）、コレステロールの分子インプリントが被覆されたＩＳＦＥＴ付き電位差測定セ
ンサーの製造方法（Vanaja et al, US Pat No. 0147683; 2010）、γヒドロキシ酪酸（ＧＨＢ）、ケタミンおよびコルチゾールのような薬物の検出を目的とする分子インプリントセンサー装置（Murray et al US Pat. No.0197297; 2009）、電気化学振動子の生物工学
的ナノ検出フィルム（Zhou et al Chinese Pat.No.CN101196486; 2008）、ポリマを識別
する高分子の製造方法（Minoura et al, US Pat. No. 7741421; 2010）、放出サイトが合成されたペプチドインプリントポリマ（ＰＩＰＩＥＳ）（Bright, US Pat. No.7598087; 2009）、癌バイオマーカーの検出を目的とする、チップ表面に被覆された金上の表面分子インプリント（ＳＭＩ）と自己組織化単分子層（ＳＡＭ）の生産物とを結合する方法（Levon et al US Pat. No.0318788; 2009）、そして、水媒体中で認識をインプリントする（刷り込みする）方法（Naraghi et al US Pat. No. 0099301; 2009）について言及されて
いる。
ＭＩＰは、生体外の診断装置において、標的分子を捕捉するテンプレート分子を解離する接着剤として説明されている（Meathrel et al US Pat. No. 0068820; 2010）。
【０００６】
上述の文献に関連する分子インプリント基板は、予め定められた選択性に優れ、耐性を有しているため、その他の検出プラットフォームより優れており、特異的な試薬が存在しなくても、空洞（cavity）として選択的に分子を認識できる。空洞は、ポリマ基質自体の内部にあり、検体に調整されて作られており、検体を無標識で検出できるものと考えられている。
しかしながら、本態様は、さらなる利点を有している。その利点は、インプリントポリマの高い選択性と、導電性ポリマつまりシグナル変換を大幅に改善するポリピロールの優れた導電特性とを同調させることである。
また、本態様は、金属酸化物により触媒活性が改良されており、高い感度および優れた選択性を有する優れた検出プラットフォームとなる。
【発明の概要】
【発明が解決しようとする課題】
【０００７】
本発明の主な目的は、「分子インプリント導電性ポリマフィルム付き水性アミノ酸セン
サー」を提供し、これにより上述の欠点を解決することである。
本発明の別の目的は、ＧＣＥ表面に分子インプリント導電性ポリマ（ＭＩＣＰ）フィルムを作成することである。
本発明のさらに別の目的は、Ｃｕ２＋，Ｈｇ２＋，Ｐｄ２＋，Ａｕ３＋，Ｐｔ４＋の存在下でＧＣＥ表面に金属酸化物修飾ＭＩＣＰフィルムを形成することである。
本発明のさらに別の目的は、Ｌ−チロシン及び／又はＬ−システインを他のアミノ酸の存在する水媒体中で測定するＬ−チロシン及び／又はＬ−システインセンサーを作成することである。
本発明のさらに別の目的は、ＭＩＣＰ、及びＧＣＥ表面に被覆された金属酸化物修飾ＭＩＣＰフィルムを再利用および再生することである。
【課題を解決するための手段】
【０００８】
（発明の概要）
したがって、本発明は、分子インプリント導電性ポリマ（ＭＩＣＰ）または金属酸化物修飾分子インプリント導電性ポリマ（ＭＯＭＩＣＰ）から選択されるポリマが被覆された基板を備えるアミノ酸センサーに関する。
【０００９】
本発明の一態様において、前記基板はガラス状炭素電極（ＧＣＥ）の表面である。
【００１０】
本発明の別の態様において、前記ポリマをインプリントするために用いられるアミノ酸は、Ｌ−チロシン、Ｌ−システインおよびそれらの組み合わせからなる群から選択される。
【００１１】
本発明のさらに別の態様において、前記センサーは、水溶液中のアミノ酸を選択的に検出する。
【００１２】
本発明のさらに別の態様において、分子インプリント導電性ポリマ（ＭＩＣＰ）または金属酸化物修飾分子インプリント導電性ポリマ（ＭＯＭＩＣＰ）から選択されるポリマが被覆された基板を備えるアミノ酸センサーの作成プロセスが提供され、前記プロセスは、以下のステップを有する。
（ａ）Ｌ−チロシン、Ｌ−システインおよびそれらの組み合わせからなる群から選択されるアミノ酸のテンプレートの存在下で、前記テンプレートが、前記基板上の過塩素酸テトラブチルアンモニウム及びトリフルオロ酢酸を含むアセトニトリルにインプリントされるように、ピロールモノマーを電解重合して、分子インプリント導電性ポリマフィルム付き電極を得る；
（ｂ）電気化学的に過酸化して、続いてｐＨ２のリン酸緩衝液で循環することで洗浄し、その後ｐＨ５．５のリン酸緩衝液で安定化することによって、前記ステップ（ａ）で得られた電極から前記テンプレートを取り除き、前記テンプレートが取り除かれたＭＩＣＰまたは２重テンプレートが取り除かれたＭＩＣＰフィルムが被覆された電極を得る；
（ｃ）前記ステップ（ｂ）で得られた前記テンプレートが取り除かれて安定化されたＭＩＣＰまたは二重テンプレートが取り除かれたＭＩＣＰ電極上に、Ｃｕ２+、Ｈｇ２+、Ｐｄ２+、Ａｕ３+、Ｐｔ４+からなる群から選択される金属を析出させ、続いて陽極スキャン
することにより、それぞれの金属酸化物修飾分子インプリント導電性ポリマフィルムが被覆され、アミノ酸センサーとして用いられる電極を得る。
【００１３】
本発明のさらに別の態様において、前記ピロールと前記テンプレートとの比率を４００：１から２：１の範囲内、前記ピロールの濃度を２×１０−３以上４×１０−３Ｍ以下、および前記テンプレートの濃度を１０−５以上１０−３Ｍ以下とする。
【００１４】
本発明のさらに別の態様において、前記ステップ（ａ）では、前記アセトニトリルの量
を２０ｍｌ、前記トリフルオロ酢酸の量を０．５以上３５μｌ以下、前記過塩素酸テトラブチルアンモニウムの濃度を０．０１以上０．１Ｍ以下とする。
【００１５】
本発明のさらに別の態様において、前記ステップ（ａ）では、析出電位をＡｇ／ＡｇＣlに対して０．８以上０．９Ｖ以下として５５以上６５秒以下で電解重合する。
【００１６】
本発明のさらに別の態様において、前記ステップ（ａ）では、前記基板がガラス状炭素電極（ＧＣＥ）の表面である。
【００１７】
本発明のさらに別の態様において、前記ステップ（ｂ）では、ＮａＯＨ０．０８から０．１Ｍの存在下で、電位をＡｇ／ＡｇＣlに対して０．８以上１．２Ｖ以下、走査速
度を４０から７０ｍＶ／ｓとして、少なくとも１００回、電気化学的に過酸化する。
【００１８】
本発明のさらに別の態様において、前記ステップ（ｂ）では、電位をＡｇ／ＡｇＣlに
対して０以上０．９Ｖ以下、走査速度を７５以上１２５ｍＶ／ｓ以下として、少なくとも７５回、リン酸緩衝溶液中で循環することにより洗浄する。
【００１９】
本発明のさらに別の態様において、前記ステップ（ｂ）では、電位を０以上０．９Ｖ以下、走査速度を５０以上７０ｍＶ／ｓ以下として、少なくとも２０回、安定化する。
【００２０】
本発明のさらに別の態様において、前記ステップ（ｃ）では、前記ステップ（ｂ）で得られた電極をポテンショスタットにより−０．２８以上−０．３２Ｖ以下で４．５以上５秒以下保持することにより、前記電極上に金属を析出させる。
【００２１】
本発明のさらに別の態様において、前記ステップ（ｃ）では、電位を０以上０．９Ｖ以下として陽極スキャンする。
【００２２】
本発明のさらに別の態様において、前記ステップ（ｂ）又はステップ（ｃ）の前記被覆された電極は、開始電位を−０．１５以上０．０７５Ｖ以下に戻し、ｐＨ５．５のリン酸緩衝液中で撹拌することにより、２５から３５回再生および再利用できる。
【００２３】
本発明のさらに別の態様において、前記ステップ（ｂ）又はステップ（ｃ）の前記被覆された電極は、金属酸化物修飾ＭＩＣＰの場合、使用後、電位−０．１５以上０．０７５Ｖ以下で７以上１０秒以下保持して金属酸化物を除去し、続いてｐＨ５．５のリン酸緩衝液中で全ての修飾電極を１以上５分以下撹拌して酸化チロシンを除去することにより、再生可能となる。
【００２４】
本発明のさらに別の態様において、前記プロセスは、さらに、アミノ酸センサーを校正するステップを有しており、前記ステップ（ｂ）又はステップ（ｃ）における作用電極としての前記被覆された電極、白金箔対電極およびＡｇ／ＡｇＣl参照電極を、０．０７５
から０．１５Ｍのリン酸緩衝液中に既知量のアミノ酸を含む電気化学セルに浸し、続いて５０以上３００ｍＶ以下の振幅変調で電位０Ｖ以上０．９Ｖ以下をスキャンして示差パルスボルタモグラムを記録することにより、作用電極および対電極間の電流をアミノ酸の濃度に対してプロットして校正グラフを作成する。
【００２５】
本発明のさらに別の態様において、アミノ酸センサーを用いるアミノ酸の選択的検出方法が提供され、以下のステップを有する。
ｉ）前記ステップ（ｂ）又はステップ（ｃ）で得られたアミノ酸センサーとしての前記被覆された電極を、ｐＨ５．５からｐＨ７．０で分析されるサンプルを含む電気化学セルに挿入し、続いて５０以上３００ｍＶ以下の振幅変調で電位０以上０．９Ｖ以下をスキャン
して示差パルスボルタモグラムを記録する；
ii）校正グラフを参照することにより、アミノ酸の未知濃度を定量する。
【図面の簡単な説明】
【００２６】
【図１】ＧＣＥ上に分子インプリント導電性ポリマ（ＭＩＣＰ）およびノンインプリントＣＰ（ＮＩＣＰ）を作成するプロセスを示す図である。
【図２】金属酸化物修飾ＭＩＣＰ付きアミノ酸センサーの概要図である。
【図３】金属酸化物（特に銅酸化物）修飾ＭＩＣＰ（特にＭＩがポリピロール）フィルム付きセンサーによるＬ−チロシンの応答におけるｐＨの影響を示す図である。
【図４】分子インプリント（Ａ）および関連するノンインプリント（Ｂ）金属酸化物（特に銅酸化物）修飾ポリピロールフィルムの様々なアミノ酸とのボルタメトリック検出シグナルを示す図である。
【発明を実施するための形態】
【００２７】
本発明は、「分子インプリント導電性ポリマフィルム付き水性アミノ酸センサー」を提供しており、以下の構成を備える。
・適切な基板、好ましくはガラス状炭素ディスク又は電極上に分子インプリント導電性ポリマ（ＭＩＣＰ）を用いる、アミノ酸を検出する修飾電極を作成するプロセス；
・ＭＩＣＰを過酸化、洗浄および安定化すること；
・テンプレートが取り除かれたＭＩＣＰを金属酸化物で修飾すること（Ｃｕ２+、Ｈｇ２+、Ｐｄ２+、Ａｕ３+、Ｐｔ４+等の溶液から金属を電解析出することにより）、および陽
極酸化すること；
・Ｌ−チロシン及び／又はＬ−システインをその他のアミノ酸の存在下で選択的に検出すること。
【００２８】
本発明は、特定の、利用しやすくかつ均質なインプリントサイトを有する、アミノ酸検出フィルムを作成するプロセスを提案する。
上述のアミノ酸検出フィルムは、指示電極上にディスク状に被覆されて、過酸化、洗浄および安定化のステップによりアミノ酸テンプレートを取り出した後、水溶液中の標的アミノ酸を選択的に検出する。
テンプレートの存在しない環境で作成されたＮＩＣＰは、インプリントされた空洞に検体が再結合することにより検出を引き起こすようなＭＩＣＰとは違って、検体を表面に吸着することで検出を示す。
しかしながら、ＮＩＣＰは、検体とは特別に結合しないことから選択性に乏しい。本発明は、以下の顕著な特徴を有する。
・ＭＩＣＰ、および金属酸化物修飾ＭＩＣＰフィルムが被覆されたＧＣＥを作成するプロセスが特徴的である。金属酸化物の電極触媒効果は、ＭＯＭＩＣＰの場合、分析信号を増幅させることに加えて、ＭＩＣＰによる選択性を生じさせる。
・ＭＩＣＰの場合、フィルムの前処理（過酸化、洗浄および安定化）が行われる（テンプレート分子を取り出すため）。
・水溶液中の標的アミノ酸を選択的に検出することが特徴的である。
【００２９】
（適合するアミノ酸を検出するフィルムの作成プロセス）
ガラス状炭素電極上に、適合する分子インプリント導電性ポリマ（ＭＩＣＰ）フィルムを作成するには、以下のように行う。
ｉ）テンプレート：Ｌ−チロシン及び／又はＬ−システインが存在し、０．０１Ｍの過塩素酸テトラブチルアンモニウムを含有するアセトニトリル媒体中で、ピロールモノマーを電解重合する（テンプレートの溶解を促進するためトリフルオロ酢酸の存在下で）。
図１及び図２は、ＭＩＣＰフィルム付きＬ−チロシン及び／又はＬ−システインセンサーの作成プロセスのフロー図および概要図を示す。ノンインプリント導電性ポリマ（ＮＩ
ＣＰ）フィルムは、テンプレート分子を取り除く以外は上述の手段に従って、類似の方法で作成された。
金属酸化物修飾ＭＩＣＰフィルムは、アミノ酸テンプレートが取り除かれたＭＩＣＰフィルムを、ｐＨ５．５のリン酸緩衝液中においてＣｕ２+、Ｈｇ２+、Ｐｄ２+、Ａｕ３+、Ｐｔ４+等のそれぞれの金属イオンの存在下で−０．３０Ｖで５秒間、処置し、陽極スキ
ャンすることにより、作成された（図２を参照）。
ある金属イオン／酸化物が所定の電極触媒特性を示すことを考慮して、金属イオンを組み込むことにより、分析信号を強めることができる。
金属酸化物の島の電極触媒作用は、図２に示すように、金属−アミノ酸錯体形成と同様に電極−溶液界面でＬ−チロシンの酸化を促進させて、結果的に陽極のピーク電流を増大させる。
ii）フィルムの前処理
図１では、ＭＩＣＰおよびＮＩＣＰフィルムの前処理を含む詳細なステップについてフロー図の形式で強調されている。
ＭＩＣＰ及びＮＩＣＰフィルムは、テンプレートを取り除くため、０．１ＭのＮａＯＨ溶液中において０．８から１．２Ｖで１００回、動電位による電気化学的過酸化が行われる。
それから、フィルムは、弱酸性のリン酸緩衝液において０以上０．９Ｖ以下の範囲内の電位で循環させることを７５回繰り返すことにより洗浄される。そして、ｐＨ５．５のリン酸塩媒体において０Ｖ以上０．９Ｖ以下の範囲内の電位で循環させることを２０回繰り返すことにより安定化される。これにより、取り除かれたフィルムを得る。
iii）選択的検出
アミノ酸（Ｌ−チロシン及び／又はＬ−システイン）センサーを作成するプロセスは、図１及び図２に図式的に示される。結果的に生じるセンサーは、検体であるアミノ酸と、その他のアミノ酸とを識別する。アミノ酸（より詳しくはＬ−チロシン）の検出信号におけるｐＨの影響を図３に示す。
【００３０】
（Ｌ−チロシン及び／又はＬ−システインの定量）
２０ｍｌの電気化学セルに、０．１Ｍのリン酸緩衝液（ｐＨ５．５）におけるＬ−チロシン及び／又はＬ−システインの適当量（１×１０−８から８×１０−６Ｍ）を添加する。作用電極がＮＩＣＰ、ＭＩＣＰ及びＭＯＭＩＣＰフィルム被覆電極である３電極系を電気化学セルに入れる。
振幅変調を１００ｍＶとして０から０．９Ｖの電位窓でスキャンすることにより、示差パルスボルタモグラムを記録する。
校正グラフを参照することにより、Ｌ−チロシン及び／又はＬ−システインの未知濃度を定量する。
【００３１】
（銅酸化物修飾ＭＩＣＰ及びＮＩＣＰフィルムを用いた選択性の研究）
銅酸化物修飾ＭＩＣＰ及び関連するＮＩＣＰが被覆されたＧＣＥを用いて、Ｌ−チロシン及び他のアミノ酸に対する選択性について詳細に研究を行った。
得られた結果を図４Ａ及び４Ｂのそれぞれに示す。
混合物におけるＬ−チロシンの選択性係数は、それぞれ、セリン、システイン、バリン、フェニルアラニン及びロイシンと比較して約５０から６０倍、Ｄ−チロシンと比較して１．２倍、トリプトファンに対して１．５倍を示す。
分子インプリントでは、単独および混合物（主に本物のサンプル溶液をシミュレーションした）にかかわらず、選択性係数が高い結果となっており、重要なインプリント効果が示される。
【００３２】
（合成サンプルの分析）
表１に、ヒト合成尿のサンプルを分析した結果を示す。
ヒト尿サンプルに相当する割合となるように、８×１０−７Ｍのセリン、８×１０−７Ｍのアラニン、４×１０−７Ｍのバリン、４×１０−７Ｍのフェニルアラニン及び４×１０−７Ｍのロイシンをそれぞれ混合し、疑似合成尿のサンプルを作成した。
上述の合成サンプルを含む０．１Ｍのリン酸緩衝液（ｐＨ５．５）におけるＬ−チロシンの適当量（１×１０−７から４×１０−６Ｍ）を２０ｍｌの電気化学セルに添加する。作用電極としてのＭＯＭＩＣＰと、対電極としての白金箔と、参照電極としてのＡｇ／ＡｇＣlとからなる３電極系を電気化学セルに入れる。
振幅変調を１００ｍＶとして０から０．９Ｖの電位窓でスキャンすることにより、示差パルスボルタモグラムを記録する。
Ｌ−チロシンのピーク電位で作用電極と白金箔対電極との間に流れる電流により描かれる校正グラフを参照することにより、Ｌ−チロシンの未知濃度を定量する。
表１に示すように、混入されたサンプルが定量的に回収されることが確認された。
【００３３】
【表１】
0006022480.tif 000002
＊セリン濃度は８×１０−７Ｍ、アラニン濃度は８×１０−７Ｍ、バリン濃度は４×１０−７Ｍ、フェニルアラニン濃度は４×１０−７Ｍ、ロイシン濃度は４×１０−７Ｍである。
【００３４】
（尿サンプルの分析）
発達した検出方法は、ヒト尿サンプルにおいてＬ−チロシンを分析することに適用される。
尿サンプルの存在する０．１Ｍのリン酸緩衝液（ｐＨ５．５）におけるＬ−チロシンの適当量（１×１０−６および２×１０−６Ｍ）を２０ｍｌの電気化学セルに添加する。作用電極としてのＭＯＭＩＣＰと、対電極としての白金箔と、参照電極としてのＡｇ／ＡｇＣlとからなる３電極系を電気化学セルに入れる。
振幅変調を１００ｍＶとして０から０．９Ｖの電位窓でスキャンすることにより、示差パルスボルタモグラムを記録する。
Ｌ−チロシンのピーク電位で作用電極と白金箔対電極との間に流れる電流により描かれる校正グラフを参照することにより、Ｌ−チロシンの未知濃度を定量する（表２を参照）。
表２では、ヒト尿サンプルに対して既知量のチロシンを混入しても定量的に回収することが示されている。
【００３５】
【表２】
0006022480.tif 000003
＊３つの定量の平均
【００３６】
本発明について説明したが、以下では、分子インプリント導電性ポリマ（ＭＩＣＰ）、ノンインプリント導電性ポリマ（ＮＩＣＰ）および金属酸化物修飾ＭＩＣＰフィルムを作成するプロセスについて実施例を用いて説明する。
【実施例】
【００３７】
以下の実施例は例であって、実施例により本発明の範囲は限定されない。
【００３８】
（Ｌ−チロシンを検出するＭＩＣＰフィルムの作成方法）
（実施例１）
１０−３ＭのＬ−チロシンテンプレートが存在し、０．０１Ｍの過塩素酸テトラブチルアンモニウム及び３５μｌのトリフルオロ酢酸を含む、支持電解質としてのアセトニトリル２０ｍｌ中で、０．００２Ｍ（０．１３４μｇ／ｍｌ）のピロールをガラス状炭素電極上に電解重合することによって、ＭＩＣＰフィルムを作成した。このとき、析出電位をＡｇ／ＡｇＣlに対して０．９Ｖ、時間を６０秒とした。
それから電極を取り出した。そして、水酸化ナトリウム（＞０．１Ｍ）中で、電位窓をＡｇ／ＡｇＣlに対して０．８から１．２Ｖ、走査速度を５０ｍＶ／ｓとして、少なくと
も１００回、循環を繰り返すことにより電気化学的な過酸化を行い、テンプレートを取り除いた。
テンプレートが取り除かれたＭＩＣＰフィルム電極を、電位窓をＡｇ／ＡｇＣlに対し
て０から０．９Ｖ、走査速度を１００ｍＶ／ｓとして、少なくとも７５回循環することにより洗浄した。
その後、上述のフィルム電極を、ｐＨ５．５のリン酸緩衝液中で、電位窓を０から０．９Ｖ、走査速度を５０ｍＶ／ｓとして、少なくとも２０回循環することにより安定化した。これにより、Ｌ−チロシンを検出するＭＩＣＰフィルム付き電極を得た。
【００３９】
（実施例２）
Ｌ−チロシン、Ｌ−システイン又はこれらの組み合わせのテンプレート１０−３Ｍが存在し、０．０１Ｍの過塩素酸テトラブチルアンモニウム及び３５μｌのトリフルオロ酢酸を含む、支持電解質としてのアセトニトリル２０ｍｌ中で、０．００３Ｍ（０．２０１μｇ／ｍｌ）のピロールをガラス状炭素電極上に電解重合することによって、ＭＩＣＰフィルムを作成した。このとき、析出電位をＡｇ／ＡｇＣlに対して０．９Ｖ、時間を６０秒
とした。
それから電極を取り出した。そして、水酸化ナトリウム（＞０．１Ｍ）中で、電位窓をＡｇ／ＡｇＣlに対して０．８から１．２Ｖ、走査速度を５０ｍＶ／ｓとして、少なくと
も１００回、循環を繰り返すことにより電気化学的な過酸化を行い、テンプレートを取り除いた。
テンプレートが取り除かれたＭＩＣＰフィルム電極を、電位窓をＡｇ／ＡｇＣlに対し
て０から０．９Ｖ、走査速度を１００ｍＶ／ｓとして、少なくとも７５回循環することにより洗浄した。
その後、上述のフィルム電極を、ｐＨ５．５のリン酸緩衝液中で、電位窓を０から０．９Ｖ、走査速度を５０ｍＶ／ｓとして、少なくとも２０回循環することにより安定化した。これにより、Ｌ−チロシン、Ｌ−システイン又はこれらの組み合わせを検出するＭＩＣＰフィルム付き電極を得た。
【００４０】
（実施例３）
１０−３ＭのＬ−チロシンテンプレートが存在し、０．０１Ｍの過塩素酸テトラブチルアンモニウム及び３５μｌのトリフルオロ酢酸を含む、支持電解質としてのアセトニトリル２０ｍｌ中で、０．００４Ｍ（０．２６８μｇ／ｍｌ）のピロールをガラス状炭素電極上に電解重合することによって、ＭＩＣＰフィルムを作成した。このとき、析出電位をＡ
ｇ／ＡｇＣlに対して０．９Ｖ、時間を６０秒とした。
それから電極を取り出した。そして、水酸化ナトリウム（＞０．１Ｍ）中で、電位窓をＡｇ／ＡｇＣlに対して０．８から１．２Ｖ、走査速度を５０ｍＶ／ｓとして、少なくと
も１００回、循環を繰り返すことにより電気化学的な過酸化を行い、テンプレートを取り除いた。
テンプレートが取り除かれたＭＩＣＰフィルム電極を、電位窓をＡｇ／ＡｇＣlに対し
て０から０．９Ｖ、走査速度を１００ｍＶ／ｓとして、少なくとも７５回循環することにより洗浄した。
その後、上述のフィルム電極を、ｐＨ５．５のリン酸緩衝液中で、電位窓を０から０．９Ｖ、走査速度を５０ｍＶ／ｓとして、少なくとも２０回循環することにより安定化した。これにより、Ｌ−チロシンを検出するＭＩＣＰフィルム付き電極を得た。
【００４１】
（実施例４）
アセトニトリル２０ｍｌ中の過塩素酸テトラブチルアンモニウムを０．１Ｍとして、実施例１、２及び３と同様に電解重合してＭＩＣＰフィルムを作成した。
【００４２】
（実施例５）
電解重合中の析出電位を０．８Ｖとして、実施例１、２、３及び４と同様にＭＩＣＰフィルムを作成した。
【００４３】
（実施例６）
電解重合の時間を６５秒として、実施例１、２、３、４及び５と同様にＭＩＣＰフィルムを作成した。
【００４４】
（実施例７）
電解重合の時間を５５秒として、実施例１、２、３、４、５及び６と同様にＭＩＣＰフィルムを作成した。
【００４５】
（実施例８）
トリフルオロ酢酸を０．５μｌ、テンプレートのＬ−チロシンを１０−５Ｍとして、実施例１、２、３、４、５、６及び７と同様にＭＩＣＰフィルムを作成した。
【００４６】
（非インプリント導電性ポリマ（ＮＩＣＰ）フィルムの作成方法） 
（実施例９）
０．０１Ｍの過塩素酸テトラブチルアンモニウム及び３５μｌのトリフルオロ酢酸を含む、支持電解質としてのアセトニトリル２０ｍｌ中で、０．００２Ｍ（０．１３４μｇ／ｍｌ）のピロールを電解重合することによって、ＮＩＣＰフィルムを作成した。このとき、析出電位をＡｇ／ＡｇＣlに対して０．９Ｖ、時間を６０秒とした。
それから、電極を、水酸化ナトリウム（＞０．１Ｍ）中で、電位窓をＡｇ／ＡｇＣlに
対して０．８から１．２Ｖ、走査速度を５０ｍＶ／ｓとして、少なくとも１００回、循環を繰り返すことにより、電気化学的な過酸化を行った。
ＮＩＣＰフィルム電極を、電位窓をＡｇ／ＡｇＣlに対して０から０．９Ｖ、走査速
度を１００ｍＶ／ｓとして、少なくとも７５回循環することにより洗浄した。
その後、上述のフィルム電極を、ｐＨ５．５のリン酸緩衝液中で、電位窓を０から０．９Ｖ、５０ｍＶ／ｓとして、少なくとも２０回循環することにより安定化した。これにより、Ｌ−チロシン及び／又はＬ−システインを検出するＮＩＣＰフィルム付き電極を得た。
【００４７】
（Ｌ−チロシンを検出する金属酸化物修飾ＭＩＣＰ（ＭＯＭＩＣＰ）フィルムの作成方法）
（実施例１０）
Ｌ−チロシンの選択的検出に対応する金属酸化物被覆を形成するため、３×１０−５ＭのＣｕ２＋、Ｈｇ２＋、Ｐｄ２＋、Ａｕ３＋又はＰｔ４＋等の溶液から、テンプレートが取り除かれたＭＩＣＰフィルム上に−０．３Ｖで５秒間、金属を定電位析出し、その後、０から０．９Ｖの電位窓で陽極スキャンすることにより、金属酸化物修飾ＭＩＣＰフィルムを作成した。
【００４８】
（実施例１１）
Ｌ−チロシンの選択的検出に対応する金属酸化物被覆を形成するため、１×１０−４ＭのＣｕ２＋、Ｈｇ２＋、Ｐｄ２＋、Ａｕ３＋又はＰｔ４＋等の溶液から、テンプレートが取り除かれたＭＩＣＰフィルム上に−０．３Ｖで５秒間、金属を定電位析出し、その後、０から０．９Ｖの電位窓で陽極スキャンすることにより、金属酸化物修飾ＭＩＣＰフィルムを作成した。
【００４９】
（実施例１２）
時間を５秒、−０．２８Ｖとして、実施例１０及び１１と同様に定電位析出することにより、金属酸化物修飾ＭＩＣＰフィルムを作成した。
【００５０】
（実施例１３）
時間を５秒、−０．３２Ｖとして、実施例１０及び１１と同様に定電位析出することにより、金属酸化物修飾ＭＩＣＰフィルムを作成した。
【００５１】
（実施例１４）
時間を４秒、−０．３Ｖとして、実施例１０及び１１と同様に定電位析出することにより、金属酸化物修飾ＭＩＣＰフィルムを作成した。
【００５２】
（実施例１５）
時間を４秒、−０．２８Ｖとして、実施例１０及び１１と同様に定電位析出することにより、金属酸化物修飾ＭＩＣＰフィルムを作成した。
【００５３】
（実施例１６）
時間を４秒、−０．３２Ｖとして、実施例１０及び１１と同様に定電位析出することにより、金属酸化物修飾ＭＩＣＰフィルムを作成した。
【００５４】
（Ｌ−システインを検出する金属酸化物修飾ＭＩＣＰ（ＭＯＭＩＣＰ）フィルムの作成方法）
（実施例１７）
Ｌ−システインの選択的検出に対応する金属酸化物被覆を形成するため、テンプレートが取り除かれたＭＩＣＰフィルム上に、３×１０−５ＭのＣｕ２＋溶液を−０．３Ｖで５秒間、定電位析出し、その後０から０．９Ｖの電位窓で陽極スキャンすることにより、金属酸化物修飾ＭＩＣＰフィルムを作成した。
【００５５】
（実施例１８）
Ｌ−システインの選択的検出に対応する金属酸化物被覆を形成するため、テンプレートが取り除かれたＭＩＣＰフィルム上に、１×１０−４ＭのＣｕ２＋溶液を−０．３Ｖで５秒間、定電位析出し、その後０から０．９Ｖの電位窓で陽極スキャンすることにより、金属酸化物修飾ＭＩＣＰフィルムを作成した。
【００５６】
（実施例１９）
時間を５秒、−０．２８Ｖとして、実施例１７及び１８と同様に定電位析出することに
より、金属酸化物修飾ＭＩＣＰフィルムを作成した。
【００５７】
（実施例２０）
時間を５秒、−０．３２Ｖとして、実施例１７及び１８と同様に定電位析出することにより、金属酸化物修飾ＭＩＣＰフィルムを作成した。
【００５８】
（実施例２１）
時間を４秒、−０．３Ｖとして、実施例１７及び１８と同様に定電位析出することにより、金属酸化物修飾ＭＩＣＰフィルムを作成した。
【００５９】
（実施例２２）
時間を４秒、−０．２８Ｖとして、実施例１７及び１８と同様に定電位析出することにより、金属酸化物修飾ＭＩＣＰフィルムを作成した。
【００６０】
（実施例２３）
時間を４秒、−０．３２Ｖとして、実施例１７及び１８と同様に定電位析出することにより、金属酸化物修飾ＭＩＣＰフィルムを作成した。
【００６１】
（Ｌ−チロシン及びＬ−システインを検出する金属酸化物修飾ＭＩＣＰ（ＭＯＭＩＣＰ）フィルムの作成方法）
（実施例２４）
Ｌ−チロシン及びＬ−システインの選択的検出に対応する金属酸化物被覆を形成するため、３×１０−５ＭのＣｕ２＋溶液から、テンプレートが抽出されたＭＩＣＰフィルム上に−０．３Ｖで５秒間、定電位析出し、その後０から０．９Ｖの電位窓で陽極スキャンすることにより、金属酸化物修飾ＭＩＣＰフィルムを作成した。
【００６２】
（実施例２５）
Ｌ−チロシン及びＬ−システインの選択的検出に対応する金属酸化物被覆を形成するため、１×１０−４ＭのＣｕ２＋溶液から、テンプレートが抽出されたＭＩＣＰフィルム上に−０．３Ｖで５秒間、定電位析出し、その後０から０．９Ｖの電位窓で陽極スキャンすることにより、金属酸化物修飾ＭＩＣＰフィルムを作成した。
【００６３】
（実施例２６）
時間を５秒、−０．２８Ｖとして、実施例２４及び２５と同様に定電位析出することにより、金属酸化物修飾ＭＩＣＰフィルムを作成した。
【００６４】
（実施例２７）
時間を５秒、−０．３２Ｖとして、実施例２４及び２５と同様に定電位析出することにより、金属酸化物修飾ＭＩＣＰフィルムを作成した。
【００６５】
（実施例２８）
時間を４秒、−０．３Ｖとして、実施例２４及び２５と同様に定電位析出することにより、金属酸化物修飾ＭＩＣＰフィルムを作成した。
【００６６】
（実施例２９）
時間を４秒、−０．２８Ｖとして、実施例２４及び２５と同様に定電位析出することにより、金属酸化物修飾ＭＩＣＰフィルムを作成した。
【００６７】
（実施例３０）
時間を４秒、−０．３２Ｖとして、実施例２４及び２５と同様に定電位析出することに
より、金属酸化物修飾ＭＩＣＰフィルムを作成した。
【００６８】
（ＭＯＭＩＣＰ修飾電極を用いたＬ−チロシンの定量の実験手順）
（実施例３１）
０．１Ｍのリン酸緩衝液（ｐＨ５．５）におけるＬ−チロシンの適当量（１×１０−８および８×１０−６Ｍ）を２０ｍｌの電気化学セルに添加した。それから、作用電極が、銅酸化物修飾ＭＩＣＰフィルムが被覆したガラス状炭素電極、対電極が白金（Ｐｔ）箔、そして参照電極がＡｇ／ＡｇＣlである、３電極系を電気化学セルに入れた。
振幅変調を１００ｍＶとして、０から０．９Ｖの電位窓でスキャンすることにより、示差パルスボルタモグラムを記録した。
校正グラフを参照することにより、Ｌ−チロシンの未知濃度を定量した。
【００６９】
【表３】
0006022480.tif 000004
【００７０】
（ＭＯＭＩＣＰ修飾電極を用いたＬ−システインの定量の実験手順）
（実施例３２）
０．１Ｍのリン酸緩衝液（ｐＨ５．５）におけるＬ−システインの適当量（１×１０−８から８×１０−６Ｍ）を２０ｍｌの電気化学セルに添加した。それから、作用電極が、銅酸化物修飾ＭＩＣＰフィルムが被覆したガラス状炭素電極、対電極が白金箔、そして参照電極がＡｇ／ＡｇＣlである、３電極系を電気化学セルに入れた。
振幅変調を１００ｍＶとして、０から０．９Ｖの電位窓でスキャンすることにより、示差パルスボルタモグラムを記録した。
校正グラフを参照することにより、Ｌ−システインの未知濃度を定量した。
【００７１】
【表４】
0006022480.tif 000005
【００７２】
（ＭＯＭＩＣＰ修飾電極を用いた２重テンプレート（Ｌ−チロシン及びＬ−システイン）の定量の実験手順）
（実施例３３）
０．１Ｍのリン酸緩衝液（ｐＨ５．５）におけるＬ−チロシン及びＬ−システインの適当量（１×１０−８から８×１０−６Ｍ）を２０ｍｌの電気化学セルに添加した。それから、作用電極が、銅酸化物修飾ＭＩＣＰフィルムが被覆したガラス状炭素電極、対電極が白金箔、そして参照電極がＡｇ／ＡｇＣlである、３電極系を電気化学セルに入れた。
振幅変調を１００ｍＶとして、０から０．９Ｖの電位窓でスキャンすることにより、示差パルスボルタモグラムを記録した。
校正グラフを参照することにより、Ｌ−チロシン及びＬ−システインの未知濃度を定量した。
【００７３】
【表５】
0006022480.tif 000006
【００７４】
（Ｌ−チロシン及び／又はＬ−システインの選択的検出）
（実施例３４）
金属酸化物修飾ＭＩＣＰフィルム付きセンサーでは、実施例３１、３２、３３のそれぞれで説明した定量方法を用いることにより、水溶液中にＬ−セリン、Ｌ−バリン、Ｌ−ロイシン、Ｌ−フェニルアラニン、Ｌ−チロシン及びＬ−システインの混合物などの他のアミノ酸が同じ量存在するときに、Ｌ−チロシン又はＬ−システインに対する選択的な応答が得られた（図４）。
【００７５】
（ＭＩＣＰ付き検出フィルムの再生および再利用）
（実施例３５）
１０−３ＭのＬ−チロシンテンプレートが存在し、０．０１Ｍの過塩素酸テトラブチルアンモニウム及び３５μｌのトリフルオロ酢酸を含む、支持電解質としてのアセトニトリル２０ｍｌ中で、０．００２Ｍ、０．００３Ｍおよび０．００４Ｍのピロールをガラス状炭素電極上に電解重合することによって、ＭＩＣＰフィルムを作成した。このとき、析出電位をＡｇ／ＡｇＣlに対して０．９Ｖ、時間を６０秒とした。
それから電極を取り出した。そして、水酸化ナトリウム（＞０．１Ｍ）中で、電位窓をＡｇ／ＡｇＣlに対して０．８から１．２Ｖ、走査速度を５０ｍＶ／ｓとして、少なくと
も１００回、循環を繰り返すことにより電気化学的な過酸化を行い、テンプレートを取り除いた。
テンプレートが取り除かれたＭＩＣＰフィルム電極を、電位窓をＡｇ／ＡｇＣlに対し
て０から０．９Ｖ、走査速度を１００ｍＶ／ｓとして、少なくとも７５回循環することにより洗浄した。
その後、上述のフィルム電極を、ｐＨ５．５のリン酸緩衝液中で、電位窓を０から０．９Ｖ、走査速度を５０ｍＶ／ｓとして、少なくとも２０回循環することにより安定化した。これにより、Ｌ−チロシンを検出するＭＩＣＰフィルム付き電極を得た。
ＭＩＣＰ修飾ＧＣ電極では、電位窓を０から０．９Ｖとして、示差パルスボルタモグラムをスキャンすることにより、Ｌ−チロシンを検出することができる。
検出面は、ｐＨ５．５のリン酸緩衝液中で１分以上５分以下撹拌して酸化チロシンを除去することによって再生され、未使用のＭＩＣＰフィルムを被覆する前に２５から３５回
再利用できる。
【００７６】
（実施例３６）
実施例１〜８で説明したプロセスにより作成されるＬ−システイン、Ｌ−チロシン及びＬ−システインを検出するＭＩＣＰフィルムでは、ｐＨ５．５のリン酸緩衝液中で撹拌して酸化チロシン及び／又は酸化システインを除去することによって再生され、未使用のＭＩＣＰフィルムを被覆する前に３０回再利用できる。
【００７７】
（金属酸化物修飾ＭＩＣＰ検出フィルムの再生および再利用）
（実施例３７）
１０−３ＭのＬ−チロシン及び／又はＬ−システインテンプレートが存在し、０．０１Ｍの過塩素酸テトラブチルアンモニウム及び３５μｌのトリフルオロ酢酸を含む、支持電解質としてのアセトニトリル２０ｍｌ中で、０．００３Ｍのピロールをガラス状炭素電極上に電解重合することによって、ＭＩＣＰフィルムを作成した（上述の実施例２と同様に）。このとき、析出電位をＡｇ／ＡｇＣlに対して０．９Ｖ、時間を６０秒とした。
それから電極を取り出し、水酸化ナトリウム（＞０．１Ｍ）中で、電位窓をＡｇ／ＡｇＣlに対して０．８から１．２Ｖ、走査速度を５０ｍＶ／ｓとして、少なくとも１００
回、循環を繰り返すことにより電気化学的な過酸化を行い、テンプレートを取り除いた。
テンプレートが取り除かれたＭＩＣＰフィルム電極を、電位窓をＡｇ／ＡｇＣlに対し
て０から０．９Ｖ、走査速度を１００ｍＶ／ｓとして、少なくとも７５回循環することにより洗浄した。
その後、上述のフィルム電極を、ｐＨ５．５のリン酸緩衝液中で、電位窓を０から０．９Ｖ、走査速度を５０ｍＶ／ｓとして、少なくとも２０回循環することにより安定化した。これにより、Ｌ−チロシン及び／又はＬ−システインを検出するＭＩＣＰフィルム付き電極を得た。
Ｌ−チロシン及び／又はＬ−システインの選択的検出に対応する金属酸化物被覆を形成するため、３×１０−５ＭのＣｕ２＋、Ｈｇ２＋、Ｐｄ２＋、Ａｕ３＋又はＰｔ４＋等の溶液から、−０．３Ｖで５秒間、金属を定電位析出し、その後０Ｖから０．９Ｖの電位窓で陽極スキャンすることにより、金属酸化物修飾ＭＩＣＰフィルムを作成した。
電極上に形成された金属酸化物の島は隔てており、分子インプリントポリピロール表面は、電極を−０．１５から０．０７５Ｖの範囲の電位で７から１０秒保持し（金属酸化物修飾ＭＩＣＰの場合）、続いてｐＨ５．５のリン酸緩衝液中で１以上５分以下撹拌して酸化アミノ酸を除去する（あらゆる修飾電極で）ことにより、次の周期までに再び満たされる。
このプロセスは、検出基板を新しくすることなく、少なくとも２５から３５回繰り返すことができる。
【００７８】
（実施例３８）
実施例１０〜３０で説明されたプロセスを組み合わせることにより作成された金属酸化物修飾ＭＩＣＰフィルムは、上述の実施例３７と同様に、再生および再利用が可能である。
電極上に形成された金属酸化物の島は隔てており、分子インプリントポリピロール表面は、電極を０Ｖで１０秒保持し（金属酸化物修飾ＭＩＣＰの場合）、続いてｐＨ５．５のリン酸緩衝液中で撹拌して酸化アミノ酸を除去する（あらゆる修飾電極で）ことにより、次の周期までに再び満たされる（金属酸化物修飾ＭＩＣＰの場合）。
このプロセスは、検出基板を新しくすることなく、少なくとも３０回繰り返すことができる。
【００７９】
（センサーの利用方法）
（実施例３９）
全ての修飾電極は、以下のステップを組み合わせて用いることもできる。
i）実施例１〜８に記載のようにＭＩＣＰを作成するプロセス
ii）実施例１〜８に記載のようにＭＩＣＰフィルムを過酸化する
iii）実施例１〜８に記載のように調整して安定化する
iv)実施例１０〜３０に記載のように、金属酸化物被覆ＭＩＣＰフィルム（ＭＯＭＩＣＰｓ）を作成するプロセス
v）実施例１０〜３０に記載のように、電位窓を０Ｖから０．９Ｖとして示差パルスモー
ドで陽極スキャンする
vi）実施例３１〜３３に記載のように、アミノ酸（Ｌ−チロシン及び／又はＬ−システイン）を定量する
vii）実施例３５〜３８で説明されたステップに基づいて検出フィルムを再生および再利
用する。セリン、バリン、フェニルアラニン、システイン、ロイシンのような様々なアミノ酸の存在下におけるセンサーの選択性では、チロシンの選択性がそれぞれのアミノ酸に対して４０倍以上であることが示されている。本発明のセンサーを、背景で述べた現行の電極と比較すると、選択性に優れていることが示される。
【００８０】
本発明の主な利点は、現行の化学的／電気化学的に修飾するセンサーと比較して、構造的に類似する様々な他のアミノ酸の存在下において、Ｌ−チロシン及び／又はＬ−システインの選択性が著しいことである。
金属酸化物（Ｃｕ２+、Ｈｇ２+、Ｐｄ２+、Ａｕ３+、Ｐｔ４+等の）の修飾によるさら
なる利点は、ボルタメトリック検出の際の選択性を著しく高め、探知の限界を低減することである。
水溶液は、分子インプリントポリマを用いて生分子を検出する際の主な障害のうちの一つとなるが、全てのフィルム被覆センサーでは、水溶液との親和性が高い。
電極を０．０Ｖで１０秒保持し、ｐＨ５．５のリン酸緩衝液で撹拌することにより、ＭＩＣＰ及び金属酸化物修飾ＭＩＣＰフィルムを容易に再生する。
様々なフィルムで被覆されたＧＣ電極は、再利用可能であり、Ｌ−チロシン及び／又はＬ−システインを順次または同時に示差パルス・ボルタメトリック検出できる。
【図１】
0006022480.tif 000007
【図２】
0006022480.tif 000008
【図３】
0006022480.tif 000009
【図４】
0006022480.tif 000010